(57)【要約】【課題】  表面側、背面側によって使用できる電池が決定すると共に、電池の端子受の配置の自由度が向上する電池ボックスを提供する。【解決手段】  電池ボックス１０は、表面側において円柱状の第１の電池を収納する第１の電池収納部２０と、背面側において、平面視において第１の電池収納部２０と直交するように配置され、第１の電池とは異なる大きさの円柱状の第２の電池を収納する第２の電池収納部４０とからなる。第１の電池収納部２０は、底部２１と、底部２１に接続され上方に立ち上がる側壁部２２とからなる容器形状を有する。第２の電池収納部４０は、底部２１と、側壁部２２の所定側壁２３ａ及び２３ｂの各々とに形成された開口４１と、所定側壁２３ａ及び２３ｂの各々の外方側であって開口４１の周りを覆う一対の延長部を含む。【選択図】  図３
0003176448.tif 000002
【実用新案登録請求の範囲】
【請求項１】
電池ボックスであって、
表面側において配置され、円柱状の第１の電池を水平状態で収納する第１の電池収納部と、
背面側において、前記第１の電池収納部と平面視において交差するように配置され、前記第１の電池とは異なる大きさの円柱状の第２の電池を水平状態で収納する第２の電池収納部とからなる、電池ボックス。
【請求項２】
前記第１の電池が収納された時に占める第１仮想空間の一部と、前記第２の電池が収納された時に占める第２仮想空間の一部とが、側面視において重複する、請求項１記載の電池ボックス。
【請求項３】
前記第１の電池収納部は、
略矩形形状の底部と、
前記底部に接続され上方に立ち上がる側壁部とからなる容器形状を有し、
前記第２の電池収納部は、前記第１の電池収納部と平面視において直交すると共に、
前記底部と前記側壁部において互いに対向する側壁の組の一方を構成する所定側壁の各々とに形成された開口と、前記所定側壁の各々の外方側であって前記開口の周りを覆う一対の延長部を含み、
前記所定側壁の各々は、前記開口の周辺部分において、他の部分よりも高く形成されている、請求項２記載の電池ボックス。
【請求項４】
前記第１の電池収納部は、
前記側壁部において互いに対向する側壁の組の他方を構成する他方側壁の各々に一体的に形成され、前記他方側壁の上端から突き出る一対の第１の支持体を含み、
前記第１の支持体の各々は、導線を巻きつけることにより前記第１の電池の正極端子及び負極端子の各々に接して通電させる一対の第１の端子受を構成し、
前記第２の電池収納部は、
前記延長部の各々に一体的に形成され、前記延長部の上端から突き出る一対の第２の支持体を含み、
前記第２の支持体の各々は、導線を巻きつけることにより前記第２の電池の正極端子及び負極端子の各々に接して通電させる一対の第２の端子受を構成する、請求項３記載の電池ボックス。
【請求項５】
前記第１の支持体の上端は、前記開口の周辺部分における側壁部の上端が含まれる水平仮想平面上に位置する、請求項４記載の電池ボックス。
【請求項６】
前記第２の支持体の上端は、前記底部の外面が含まれる水平仮想平面上に位置する、請求項４又は請求項５記載の電池ボックス。
【考案の詳細な説明】
【技術分野】
【０００１】
この考案は電池ボックスに関し、特に異種電池の収納に対応できる電池ボックスに関するものである。
【背景技術】
【０００２】
異なる大きさの円柱状の電池を収納できる電池ボックスとして、特許文献１及び特許文献２に示すものが存在している。
【０００３】
図１４は、特許文献１に示す教材用電池ボックスの単３電池収納部を表にした状態の外観形状を示す斜視図であり、図１５は、図１４で示した教材用電池ボックスの単１電池収納部を表にした状態の外観形状を示す斜視図であり、図１６は、図１４で示したＸＶＩ−ＸＶＩラインの断面図であって、収納時において単３電池及び単１電池が占める仮想領域を示した模式図である。
【０００４】
まず、図１４及び図１５を参照して、教材用電池ボックス７０は、プラスチックの射出成形によって形成されており、表面側に単３電池収納部７１を、背面側に単１電池収納部７２を備える。尚、単３電池収納部７１と単１電池収納部７２とは平面視において重なるように、かつ、互いに平行になるように配置されているので、平面視において、単３電池収納部７１の端子受７４は単１電池収納部７２に重なる。
【０００５】
電池の収納に当たっては、図１６の二点鎖線にて示すように、単３電池収納部７１に単３電池７７が、単１電池収納部７２に単１電池７８が、それぞれ収納される。尚、収納時における単３電池７７が占める仮想領域と単１電池７８が占める仮想領域とは一部重複するから、単３電池７７と単１電池７８とは同時に収納できない。
【０００６】
図１７は、特許文献２に示す電池収納部の外観形状を示す斜視図であり、図１８は、図１７で示した電池収納部に単３電池を収納した状態の平面図であり、図１９は、図１７で示した電池収納部に単４電池を収納した状態の平面図であり、図２０は、図１８で示したＸＸ−ＸＸラインの断面図であり、図２１は、図１９で示したＸＸＩ−ＸＸＩラインの断面図である。
【０００７】
まず、図１７を参照して、電池収納部８０は、表面側に単３電池保持部８１ａ及び８１ｂと単４電池保持部８２ａ及び８２ｂとを備える。尚、単３電池保持部８１ａ及び８１ｂと単４電池保持部８２ａ及び８２ｂとは、直交するように配置されているので、単３電池保持部８１ａ及び８１ｂの端子受８４ａ、８４ｂ、８４ｃ及び８４ｄの各々は単４電池保持部８２ａ及び８２ｂと、単４電池保持部８２ａ及び８２ｂの端子受８５ａ、８５ｂ、８５ｃ及び８５ｄの各々は単３電池保持部８１ａ及び８１ｂと、それぞれ平面視において重ならない。
電池の収納に当たっては、図１８及び図１９を参照して、単３電池保持部８１ａ及び８１ｂに単３電池８７ａ及び８７ｂが、単４電池保持部８２ａ及び８２ｂに単４電池８８ａ及び８８ｂが、それぞれ収納される。尚、図１８、図１９、図２０及び図２１を参照して、単３電池保持部８１ａ及び８１ｂと単４電池保持部８２ａ及び８２ｂとが直交するように配置されているため、収納時における単３電池８７ａ及び８７ｂが占める領域と単４電池８８ａ及び８８ｂが占める領域とは一部重複する。よって、単３電池８７ａ及び８７ｂと単４電池８８ａ及び８８ｂとは同時に収納できない。
【先行技術文献】
【特許文献】
【０００８】
【特許文献１】実登第３００５１８０号公報
【特許文献２】特開２００５−１１６２３７号公報
【考案の概要】
【考案が解決しようとする課題】
【０００９】
特許文献１に示す上述のような教材用電池ボックスは、表面側と背面側とによって使用できる電池が異なるため、使用する電池を直感的に決定しやすい。しかし、平面視において一方の電池収納部の端子受が他方の電池収納部に重なるように配置されるため、電池収納部同士の距離が縮められず、上下において嵩張るものとなっていた。
【００１０】
一方、特許文献２に示す上述のような電池収納部は、一方の電池保持部の端子受が他方の電池保持部に平面視で重ならないように配置されるため、電池保持部同士の距離を縮めて電池収納部全体の上下の嵩を減らすことができる。しかし、いずれの電池保持部も表面側に配置されるため、使用する電池を直感的に決定しにくい。
【００１１】
この考案は、上記のような課題を解決するためになされたもので、表面側、背面側によって使用できる電池が決定すると共に、電池の端子受の配置の自由度が向上する電池ボックスを提供することを目的とする。
【課題を解決するための手段】
【００１２】
上記の目的を達成するために、請求項１記載の考案は、電池ボックスであって、表面側において配置され、円柱状の第１の電池を水平状態で収納する第１の電池収納部と、背面側において、第１の電池収納部と平面視において交差するように配置され、第１の電池とは異なる大きさの円柱状の第２の電池を水平状態で収納する第２の電池収納部とからなるものである。
【００１３】
このように構成すると、電池ボックスの両面に互いに交差する異種電池の収納部が形成される。
【００１４】
請求項２記載の考案は、請求項１記載の考案の構成において、第１の電池が収納された時に占める第１仮想空間の一部と、第２の電池が収納された時に占める第２仮想空間の一部とが、側面視において重複するものである。
【００１５】
このように構成すると、電池ボックスの上下の嵩が減少する。
【００１６】
請求項３記載の考案は、請求項２記載の考案の構成において、第１の電池収納部は、略矩形形状の底部と、底部に接続され上方に立ち上がる側壁部とからなる容器形状を有し、第２の電池収納部は、第１の電池収納部と平面視において直交すると共に、底部と側壁部において互いに対向する側壁の組の一方を構成する所定側壁の各々とに形成された開口と、所定側壁の各々の外方側であって開口の周りを覆う一対の延長部を含み、所定側壁の各々は、開口の周辺部分において、他の部分よりも高く形成されているものである。
【００１７】
このように構成すると、開口の周辺部分においても有効な側壁部が確保できる。
【００１８】
請求項４記載の考案は、請求項３記載の考案の構成において、第１の電池収納部は、側壁部において互いに対向する側壁の組の他方を構成する他方側壁の各々に一体的に形成され、他方側壁の上端から突き出る一対の第１の支持体を含み、第１の支持体の各々は導線を巻きつけることにより第１の電池の正極端子及び負極端子の各々に接して通電させる一対の第１の端子受を構成し、第２の電池収納部は、延長部の各々に一体的に形成され、延長部の上端から突き出る一対の第２の支持体を含み、第２の支持体の各々は導線を巻きつけることにより第２の電池の正極端子及び負極端子の各々に接して通電させる一対の第２の端子受を構成するものである。
【００１９】
このように構成すると、端子受が電池ボックスと一体的なものとなる。
【００２０】
請求項５記載の考案は、請求項４記載の考案の構成において、第１の支持体の上端は、開口の周辺部分における側壁部の上端が含まれる水平仮想平面上に位置するものである。
【００２１】
このように構成すると、第２の電池収納部の使用時において、電池ボックスの接地面積が増える。
【００２２】
請求項６記載の考案は、請求項４又は請求項５記載の考案の構成において、第２の支持体の上端は、底部の外面が含まれる水平仮想平面上に位置するものである。
【００２３】
このように構成すると、第１の電池収納部の使用時において、電池ボックスの接地面積が増える。
【考案の効果】
【００２４】
以上説明したように、請求項１記載の考案は、電池ボックスの両面に互いに交差する異種電池の収納部が形成されるので、表面側、背面側によって使用できる電池が決定すると共に、電池の端子受の配置の自由度が向上する。
【００２５】
請求項２記載の考案は、請求項１記載の考案の効果に加えて、電池ボックスの上下の嵩が減少するので、全体がコンパクトになる。
【００２６】
請求項３記載の考案は、請求項２記載の考案の効果に加えて、開口の周辺部分においても有効な側壁部が確保できるので、開口の周辺部分の強度が保たれる。
【００２７】
請求項４記載の考案は、請求項３記載の考案の効果に加えて、端子受が電池ボックスと一体的なものとなるので、通電に必要な部材が減少する。
【００２８】
請求項５記載の考案は、請求項４記載の考案の効果に加えて、第２の電池収納部の使用時において、電池ボックスの接地面積が増えるので、電池ボックスの設置状態がより安定する。
【００２９】
請求項６記載の考案は、請求項４又は請求項５記載の考案の効果に加えて、第１の電池収納部の使用時において、電池ボックスの接地面積が増えるので、電池ボックスの設置状態がより安定する。
【図面の簡単な説明】
【００３０】
【図１】この考案の第１の実施の形態による電池ボックスの表面側に単１電池を収納した状態を示す斜視図である。
【図２】図１で示した電池ボックスの背面側に単３電池を収納した状態を示す斜視図である。
【図３】図１で示した電池ボックスの表面側の外観形状を示す斜視図である。
【図４】図３で示した電池ボックスの平面図である。
【図５】図３で示した電池ボックスの正面図である。
【図６】図３で示した電池ボックスの左側面図である。
【図７】図４で示したＶＩＩ−ＶＩＩラインの断面図である。
【図８】図４で示したＶＩＩＩ−ＶＩＩＩラインの断面図である。
【図９】図２で示した電池ボックスの背面側の外観形状を示す斜視図である。
【図１０】図９で示した電池ボックスの平面図である。
【図１１】図９で示した電池ボックスの正面図である。
【図１２】図９で示した電池ボックスの右側面図である。
【図１３】図８で示した電池ボックスの断面図において、単１電池及び単３電池を収納した状態を示した模式図である。
【図１４】特許文献１に示す教材用電池ボックスの単３電池収納部を表にした状態の外観形状を示す斜視図である。
【図１５】図１４で示した教材用電池ボックスの単１電池収納部を表にした状態の外観形状を示す斜視図である。
【図１６】図１４で示したＸＶＩ−ＸＶＩラインの断面図であって、収納時において単３電池及び単１電池が占める仮想領域を示した模式図である。
【図１７】特許文献２に示す電池収納部の外観形状を示す斜視図である。
【図１８】図１７で示した電池収納部に単３電池を収納した状態の平面図である。
【図１９】図１７で示した電池収納部に単４電池を収納した状態の平面図である。
【図２０】図１８で示したＸＸ−ＸＸラインの断面図である。
【図２１】図１９で示したＸＸＩ−ＸＸＩラインの断面図である。
【考案を実施するための形態】
【００３１】
図１は、この考案の第１の実施の形態による電池ボックスの表面側に単１電池を収納した状態を示す斜視図であり、図２は、図１で示した電池ボックスの背面側に単３電池を収納した状態を示す斜視図である。
【００３２】
これらの図を参照して、電池ボックス１０は、プラスチックを射出成形したものよりなり、表面側において単１電池１（円柱状の第１の電池）を水平状態で収納する第１の電池収納部２０と、背面側において単３電池４（円柱状の第２の電池）を水平状態で収納する第２の電池収納部４０とからなる。尚、第１の電池収納部２０及び第２の電池収納部４０の構成の詳細は後述する。
【００３３】
第１の電池収納部２０には、後で構成を詳述する一対の第１の支持体３１ａ及び３１ｂが含まれ、通電は、第１の支持体３１ａ及び３１ｂの各々に、絶縁体８の一部を除去して露出させた導線９を巻きつけて第１の端子受３０ａ及び３０ｂを構成し、単１電池１の正極端子２及び負極端子３の各々に導線９を接触させることにより行う。
【００３４】
第２の電池収納部４０にも、後で構成を詳述する一対の第２の支持体５１ａ及び５１ｂが含まれ、第２の支持体５１ａ及び５１ｂの各々に絶縁体８の一部を除去して露出させた導線９を巻きつけて第２の端子受５０ａ及び５０ｂを構成し、単３電池４の正極端子５及び負極端子６の各々に導線９を接触させて通電する。
【００３５】
図３は、図１で示した電池ボックスの表面側の外観形状を示す斜視図であり、図４は、図３で示した電池ボックスの平面図であり、図５は、図３で示した電池ボックスの正面図であり、図６は、図３で示した電池ボックスの左側面図であり、図７は、図４で示したＶＩＩ−ＶＩＩラインの断面図であり、図８は、図４で示したＶＩＩＩ−ＶＩＩＩラインの断面図であり、図９は、図２で示した電池ボックスの背面側の外観形状を示す斜視図であり、図１０は、図９で示した電池ボックスの平面図であり、図１１は、図９で示した電池ボックスの正面図であり、図１２は、図９で示した電池ボックスの右側面図である。
【００３６】
まず、図３及び図４を参照して、電池ボックス１０の第１の電池収納部２０は、略矩形形状の底部２１と、底部２１に接続され上方に立ち上がる側壁部２２とからなる容器形状を有する。
【００３７】
尚、図３、図４、図７及び図８を参照して、底部２１と、側壁部２２において互いに対向する側壁の組の一方を構成する所定側壁２３ａ及び２３ｂの各々とには、後に詳述する第２の電池収納部４０を構成する開口４１が形成されている。開口４１の周辺部分における所定側壁２３ａ及び２３ｂの各々は他の部分よりも高く形成されており、その上端には、図１にて示した単１電池１を安定して収納するために、内方側に突出する第１の電池固定部２５ａ及び２５ｂが形成されている。
【００３８】
このように構成すると、開口４１の周辺部分においても有効な側壁部２２が確保できるので、開口４１の周辺部分の強度が保たれる。
【００３９】
次に、図９及び図１０を参照して、電池ボックス１０の第２の電池収納部４０は、上述した開口４１と、所定側壁２３ａ及び２３ｂの各々の外方側であって開口４１の周りを覆う一対の延長部４２ａ及び４２ｂを含む。尚、開口４１の底部２１側の面の各々には、図２にて示した単３電池４を安定して収納するために、図３、図４、図７、図８、図９及び図１０に示す、内方側に突出する第２の電池固定部４３ａ、４３ｂ、４３ｃ及び４３ｄが形成されている。
【００４０】
次に、図３、図７及び図８を参照して、第１の電池収納部２０は、側壁部２２において互いに対向する側壁の組の他方を構成する他方側壁２４ａ及び２４ｂの各々に一体的に形成され、他方側壁２４ａ及び２４ｂの各々の上端から突き出る一対の第１の支持体３１ａ及び３１ｂを含む。尚、第１の支持体３１ａ及び３１ｂは、図１の説明にて示したように、導線９を巻きつけることにより、通電可能となる一対の第１の端子受３０ａ及び３０ｂを構成する。
【００４１】
次に、図７、図８及び図１０を参照して、第２の電池収納部４０は、延長部４２ａ及び４２ｂの各々に一体的に形成され、延長部４２ａ及び４２ｂの上端から突き出る一対の第２の支持体５１ａ及び５１ｂを含む。尚、第２の支持体５１ａ及び５１ｂは、図２の説明にて示したように、導線９を巻きつけることにより、通電可能となる一対の第２の端子受５０ａ及び５０ｂを構成する。
【００４２】
このように構成すると、図１及び図２に示した第１の端子受３０ａ及び３０ｂ及び第２の端子受５０ａ及び５０ｂが電池ボックス１０と一体的なものとなるので、通電に必要な部材が減少する。
【００４３】
次に、図３、図７、図８及び図９を参照して、第２の支持体５１ａ及び５１ｂの各々の上端には、外方側に延びる第２のフランジ５２ａ及び５２ｂが形成されている。尚、図５及び図６の一点鎖線で示すように、第２の支持体５１ａ及び５１ｂの各々の上端である第２のフランジ５２ａ及び５２ｂは、底部２１の外面が含まれる水平仮想平面上に位置する。
【００４４】
このように構成すると、図２で示した導線９が第２の支持体５１ａ及び５１ｂの各々から外れにくくなると共に、第１の電池収納部２０の使用時において、電池ボックス１０の接地面積が増えるので、電池ボックス１０の設置状態がより安定する。
【００４５】
又、第１の支持体３１ａ及び３１ｂの各々の上端には、外方側に延びる第１のフランジ３２ａ及び３２ｂが形成されている。尚、図１１及び図１２の一点鎖線で示すように、第１の支持体３１ａ及び３１ｂの各々の上端であるフランジ３２ａ及び３２ｂは、開口４１の周辺部分における側壁部である所定側壁２３ａ及び２３ｂの上端が含まれる水平仮想平面上に位置する。
【００４６】
このように構成すると、図１で示した導線９が第１の支持体３１ａ及び３１ｂの各々から外れにくくなると共に、第２の電池収納部４０の使用時において、電池ボックス１０の接地面積が増えるので、電池ボックス１０の設置状態がより安定する。
【００４７】
尚、図４及び図１０を参照して、第２の電池収納部４０は、第１の電池収納部２０と平面視において直交するように配置されている。
【００４８】
このように構成すると、電池ボックス１０の両面に互いに交差する異種電池の収納部が形成されるので、表面側、背面側によって使用できる電池が決定すると共に、図１及び図２に示した第１の端子受３０ａ及び３０ｂ及び第２の端子受５０ａ及び５０ｂの各々の配置場所の自由度が向上する。
【００４９】
図１３は、図８で示した電池ボックスの断面図において、単１電池及び単３電池を収納した状態を示した模式図である。
【００５０】
まず、図４及び図１０の説明にて示したように、第１の端子受３０ａ及び３０ｂ及び第２の端子受５０ａ及び５０ｂの配置場所は互いに対して自由であるので、第１の電池収納部２０と第２の電池収納部４０とは一部が重複するように配置して互いの上下の距離を縮めることができる。
【００５１】
よって、電池ボックス１０は、図１３に示すように、単１電池が収納された時に占める図の二点鎖線で示した第１の仮想空間６１の一部と、単３電池が収納された時に占める図の二点鎖線で示した第２の仮想空間６４の一部とが側面視において重複するように、第１の電池収納部２０と第２の電池収納部４０とが配置されたものとなっている。
【００５２】
このように構成すると、電池ボックス１０の上下の嵩が減少するので、電池ボックス１０の全体がコンパクトになる。
【００５３】
尚、上記の第１の実施の形態では、第１の電池に対応するものが単１電池、第２の電池に対応するものが単３電池としていたが、円柱状の異種電池であればよい。
【００５４】
又、上記の第１の実施の形態では、第１の電池収納部と第２の電池収納部とは平面視で直交するものであったが、平面視で交差するものであってもよい。
【００５５】
更に、上記の第１の実施の形態では、第１仮想空間の一部と第２仮想空間の一部とが側面視において重複するものであったが、重複していなくてもよい。
【００５６】
更に、上記の第１の実施の形態では、第１の電池収納部及び第２の電池収納部は特定形状を有するものであったが、他の形状であってもよい。
【００５７】
更に、上記の第１の実施の形態では、電池ボックスと一体的な第１の端子受及び第２の端子受を有するものであったが、電池ボックスと別部材となる第１の端子受及び第２の端子受を有するものであってもよい。
【００５８】
更に、上記の第１の実施の形態では、第１の支持体の上端は第１のフランジを有し、又、特定位置に配置されていたが、第１のフランジは無くてもよく、又、第１の支持体の上端は別の位置に配置されてもよい。
【００５９】
更に、上記の第１の実施の形態では、第２の支持体の上端は第２のフランジを有し、又、特定位置に配置されていたが、第２のフランジは無くてもよく、又、第２の支持体の上端は別の位置に配置されてもよい。
【００６０】
更に、上記の第１の実施の形態では、電池ボックスはプラスチックを射出成形したものよりなっていたが、他の素材及び他の方法により形成されたものであってもよい。
【００６１】
更に、上記の第１の実施の形態では、第１の電池収納部及び第２の電池収納部はそれぞれ１本の電池を収納するものであったが、それぞれ２本以上の電池を収納できるように構成してもよい。又、平面視において第１の電池収納部と第２の電池収納部との交差状態が保たれていれば、同一面において異なる大きさの電池を収納できるように構成してもよい。
【符号の説明】
【００６２】
１…単１電池
２…正極端子
３…負極端子
４…単３電池
５…正極端子
６…負極端子
９…導線
１０…電池ボックス
２０…第１の電池収納部
２１…底部
２２…側壁部
２３ａ、２３ｂ…所定側壁
２４ａ、２４ｂ…他方側壁
３０ａ、３０ｂ…第１の端子受
３１ａ、３１ｂ…第１の支持体
４０…第２の電池収納部
４１…開口
４２ａ、４２ｂ…延長部
５０ａ、５０ｂ…第２の端子受
５１ａ、５１ｂ…第２の支持体
６１…第１の仮想空間
６４…第２の仮想空間
尚、各図中同一符号は同一又は相当部分を示す。
【図１】
0003176448.tif 000003
【図２】
0003176448.tif 000004
【図３】
0003176448.tif 000005
【図４】
0003176448.tif 000006
【図５】
0003176448.tif 000007
【図６】
0003176448.tif 000008
【図７】
0003176448.tif 000009
【図８】
0003176448.tif 000010
【図９】
0003176448.tif 000011
【図１０】
0003176448.tif 000012
【図１１】
0003176448.tif 000013
【図１２】
0003176448.tif 000014
【図１３】
0003176448.tif 000015
【図１４】
0003176448.tif 000016
【図１５】
0003176448.tif 000017
【図１６】
0003176448.tif 000018
【図１７】
0003176448.tif 000019
【図１８】
0003176448.tif 000020
【図１９】
0003176448.tif 000021
【図２０】
0003176448.tif 000022
【図２１】
0003176448.tif 000023